(57)【要約】【課題】ＵＲＬの通知を受けた後に路側システムと通信不能となった場合であっても、当該ＵＲＬの情報をユーザが閲覧可能とする「車載システム及び情報システム」を提供する。【解決手段】車載システム１は、DSRC接続した路側システム３からＵＲＬを通知された後に、路側システム３との通信不能状態が発生したときに、スマートフォン２と接続している場合には、受信したＵＲＬをスマートフォン２に通知する。スマートフォン２は、車載システム１から通知されたＵＲＬを保存し、ユーザの要求に応じて、保存しているＵＲＬに移動体通信網７を介してアクセスして、当該ＵＲＬの情報を取得して表示する。【選択図】図１
2014085843.tif 000002
【特許請求の範囲】
【請求項１】
移動体通信網に接続可能なモバイル装置を接続可能な、路側システムと狭域通信を行う車載システムであって、
前記狭域通信が可能な路側システムに接続する接続手段と、
前記狭域通信で接続した路側システムからＵＲＬを通知されたときに、前記狭域通信を介した当該ＵＲＬの情報の取得及びユーザに対する出力を行うプッシュ型情報表示手段と、
前記狭域通信で接続した路側システムからＵＲＬを通知された後、前記プッシュ型情報表示手段が、当該ＵＲＬの情報の取得を行う前に、前記路側システムとの間の狭域通信が不能となった場合に、当該ＵＲＬを、接続している前記モバイル装置に転送するＵＲＬ転送手段とを有することを特徴とする車載システム。
【請求項２】
請求項１記載の車載システムであって、
前記プッシュ型情報表示手段は、前記狭域通信で接続した路側システムからＵＲＬを通知されたときに、当該ＵＲＬの情報の閲覧の要否をユーザに問い合わせて当該ユーザから閲覧要否の指示を受け付けると共に、当該ユーザから閲覧要の指示を受け付けた場合にのみ、前記狭域通信を介して当該ＵＲＬの情報の取得及びユーザに対する出力を行い、
前記ＵＲＬ転送手段は、前記狭域通信で接続した路側システムからＵＲＬを通知された後、前記プッシュ型情報表示手段が、当該ＵＲＬの情報の閲覧の要否の指示をユーザから受け付ける前に、前記路側システムとの間の狭域通信が不能となった場合に、当該ＵＲＬを、接続している前記モバイル装置に転送することを特徴とする車載システム。
【請求項３】
請求項１または２記載の車載システムであって、
前記ＵＲＬ転送手段は、前記ＵＲＬを接続している前記モバイル装置に転送する前に、当該転送の要否をユーザに問い合わせて当該ユーザから転送要否の指示を受け付けると共に、当該ユーザから転送要の指示を受け付けた場合にのみ当該ＵＲＬを接続している前記モバイル装置に転送することを特徴とする車載システム。
【請求項４】
請求項１、２または３記載の車載システムであって、
前記ＵＲＬの情報はＷｅｂページであり、
前記プッシュ型情報表示手段は、Ｗｅｂブラウザと、プッシュ型情報表示制御手段とを有し、
当該プッシュ型情報表示制御手段は、前記狭域通信で接続した路側システムからＵＲＬを通知されたときに、前記Ｗｅｂブラウザに、前記狭域通信を介した当該ＵＲＬのＷｅｂページへのアクセスを行わせることを特徴とする車載システム。
【請求項５】
請求項１、２または３記載の車載システムと前記モバイル装置とを有する情報システムであって、
前記モバイル装置は、前記移動体通信網を介した前記車載システムから転送された前記ＵＲＬの情報の取得及びユーザに対する出力を行う情報表示手段を有することを特徴とする情報システム。
【請求項６】
請求項５記載の情報システムであって、
前記ＵＲＬの情報はＷｅｂページであり、
前記プッシュ型情報表示手段は、第１のＷｅｂブラウザと、プッシュ型情報表示制御手段とを有し、
当該プッシュ型情報表示制御手段は、前記狭域通信で接続した路側システムからＵＲＬを通知されたときに、前記第１のＷｅｂブラウザに、前記狭域通信を介した当該ＵＲＬのＷｅｂページへのアクセスを行わせ、
前記モバイル装置の前記情報表示手段は、第２のＷｅｂブラウザと、情報表示制御手段とを有し、
当該情報表示制御手段は、当該第２のＷｅｂブラウザに、前記移動体通信網を介した、前記車載システムから転送された前記ＵＲＬのＷｅｂページへのアクセスを行わせることを特徴とする情報システム。
【発明の詳細な説明】
【技術分野】
【０００１】
本発明は、路側システムから配信される情報の閲覧を支援する技術に関するものである。
【背景技術】
【０００２】
路側システムから配信される情報の閲覧を支援する技術としては、サービスエリアやパーキングエリアや道の駅などの施設に設置された路側システムにおいて、当該路側システムの通信エリア内に進入した車載システムとの間のDSRC（Dedicated Short Range Communication：狭域通信）を介した接続を自動的に確立し、接続が発生した車載システムに当該路側システムが配信する情報のＵＲＬを通知すると共に、ＵＲＬを通知された車載システムにおいて、ユーザのＵＲＬを通知された情報の閲覧の要否を問い合わせ、閲覧が指示されたならばDSRCを介して通知されたＵＲＬにアクセスして当該ＵＲＬの情報を表示する技術が知られている。
【０００３】
また、このような技術において、ユーザの閲覧の指示に先行して、路側システムから当該路側システムの位置に関連づけた情報を車載システムに転送すると共に、車載システムにおいて転送された情報を保存し、DSRCを介した通信が行えないときであっても、車載システムを搭載した自動車の現在位置に関連づけられた情報が保存されている場合には、当該情報を表示するようにすることも提案されている（たとえば、特許文献１）。
【先行技術文献】
【特許文献】
【０００４】
【特許文献１】特開2005-241258号公報
【発明の概要】
【発明が解決しようとする課題】
【０００５】
路側システムのDSRCの通信エリアは狭いため、上述した技術によれば、自動車が走行中に当該自動車に搭載された車載システムにおいて路側システムからＵＲＬの通知を受けた場合には、車載システムがユーザからＵＲＬを通知された情報の閲覧の指示を受け付ける前に、既に、路側システムがDSRCの通信エリアを離れてしまっていることがある。そして、この場合には、路側システムから配信される情報の取得前に車載システムが路側システムと通信不能となるために、ユーザは当該情報の閲覧を行えないこととなる。
【０００６】
また、上記技術において、路側システムからユーザの閲覧の指示に先行して路側システムが配信する情報を車載システムに転送する場合であっても、当該情報のデータサイズが大きい場合には、情報の転送を完了する前に、路側システムがDSRCの通信エリアを離れてしまっていることがあり、この場合にも、路側システムから配信される情報の取得前に車載システムが路側システムと通信不能となるために、ユーザは当該情報の閲覧を行えないこととなる。
【０００７】
また、路側システムからＵＲＬを通知する場合には、配信する情報をDSRCを介して車載システムがアクセスできる任意のロケーションに配置することができるのに対して、路側システムからユーザの閲覧の指示に先行して路側システムが配信する情報を車載システムに転送する場合には、路側システムに配信する情報を予め集約しておく必要があるなど、特段の運用、設備上の手当が必要となる。また、各車載システムに、情報の転送及び転送された情報を取り扱うための処理を行うための特段の構成を備える必要も生じる。したがって、このような路側システムからユーザの閲覧の指示に先行して路側システムが配信する情報を車載システムに転送する技術は、実施上の負担が大きい。
【０００８】
そこで、本発明は、ＵＲＬを通知する路側システムを介して当該通知されたＵＲＬの情報にアクセスする車載システムのユーザが、当該車載システムがＵＲＬの通知を受けた後に路側システムと通信不能となった場合であっても、当該ＵＲＬの情報を閲覧できるようにすることを課題とする。
【課題を解決するための手段】
【０００９】
前記課題達成のために、本発明は、移動体通信網に接続可能なモバイル装置を接続可能な、路側システムと狭域通信を行う車載システムに、前記狭域通信が可能な路側システムに接続する接続手段と、前記狭域通信で接続した路側システムからＵＲＬを通知されたときに、前記狭域通信を介した当該ＵＲＬの情報の取得及びユーザに対する出力を行うプッシュ型情報表示手段と、前記狭域通信で接続した路側システムからＵＲＬを通知された後、前記プッシュ型情報表示手段が、当該ＵＲＬの情報の取得を行う前に、前記路側システムとの間の狭域通信が不能となった場合に、当該ＵＲＬを、接続している前記モバイル装置に転送するＵＲＬ転送手段とを設けたものである。
【００１０】
ここで、このような車載システムは、前記プッシュ型情報表示手段において、前記狭域通信で接続した路側システムからＵＲＬを通知されたときに、当該ＵＲＬの情報の閲覧の要否をユーザに問い合わせて当該ユーザから閲覧要否の指示を受け付けると共に、当該ユーザから閲覧要の指示を受け付けた場合にのみ、前記狭域通信を介して当該ＵＲＬの情報の取得及びユーザに対する出力を行い、前記ＵＲＬ転送手段において、前記狭域通信で接続した路側システムからＵＲＬを通知された後、前記プッシュ型情報表示手段が、当該ＵＲＬの情報の閲覧の要否の指示をユーザから受け付ける前に、前記路側システムとの間の狭域通信が不能となった場合に、当該ＵＲＬを、接続している前記モバイル装置に転送するように構成してもよい。
【００１１】
また、このような車載システムは、さらには、前記ＵＲＬ転送手段において、前記ＵＲＬを接続している前記モバイル装置に転送する前に、当該転送の要否をユーザに問い合わせて当該ユーザから転送要否の指示を受け付けると共に、当該ユーザから転送要の指示を受け付けた場合にのみ当該ＵＲＬを接続している前記モバイル装置に転送するように構成してもよい。
【００１２】
また、以上の車載システムにおいて、前記ＵＲＬの情報は、たとえばＷｅｂページであり、前記プッシュ型情報表示手段は、Ｗｅｂブラウザと、プッシュ型情報表示制御手段とより構成されるものである。ただし、このプッシュ型情報表示制御手段は、前記狭域通信で接続した路側システムからＵＲＬを通知されたときに、前記Ｗｅｂブラウザに、前記狭域通信を介した当該ＵＲＬのＷｅｂページへのアクセスを行わせるものである。
【００１３】
ここで、本発明は、以上のような車載システムと前記モバイル装置とを有する情報システムも提供する。ただし、前記モバイル装置は、前記移動体通信網を介した前記車載システムから転送された前記ＵＲＬの情報の取得及びユーザに対する出力を行う情報表示手段を備えたものである。
【００１４】
ここで、このような情報システムは、前記ＵＲＬの情報はたとえばＷｅｂページであり、この場合、前記プッシュ型情報表示手段を、第１のＷｅｂブラウザと、プッシュ型情報表示制御手段とを含めて構成し、前記モバイル装置の前記情報表示手段は、第２のＷｅｂブラウザと、情報表示制御手段とを含めて構成するようにしてもよい。ただし、前記プッシュ型情報表示制御手段は、前記狭域通信で接続した路側システムからＵＲＬを通知されたときに、前記第１のＷｅｂブラウザに、前記狭域通信を介した当該ＵＲＬのＷｅｂページへのアクセスを行わせるものであり、前記情報表示制御手段は、当該第２のＷｅｂブラウザに、前記移動体通信網を介した、前記車載システムから転送された前記ＵＲＬのＷｅｂページへのアクセスを行わせるものとする。
【００１５】
これらのような車載システムや情報システムによれば、路側システムからＵＲＬの通知を受けた後に、当該ＵＲＬの情報の取得を行う前に、前記路側システムとの間の狭域通信が不能となった場合には、当該ＵＲＬを、車載システムに接続しているモバイル装置に転送することができる。したがって、ユーザは、モバイル装置を用いて転送されたＵＲＬの情報にアクセスすることにより、当該路側システムから車載システム通知されたＵＲＬの情報を閲覧することができる。
【００１６】
結果、車載システムのユーザは、当該車載システムがＵＲＬの通知を受けた後に路側システムと通信不能となった場合であっても、当該ＵＲＬの情報を閲覧できるようになる。
【発明の効果】
【００１７】
以上のように、本発明によれば、ＵＲＬを通知する路側システムを介して当該通知されたＵＲＬの情報にアクセスする車載システムのユーザが、当該車載システムがＵＲＬの通知を受けた後に路側システムと通信不能となった場合であっても、当該ＵＲＬの情報を閲覧できるようになる。
【図面の簡単な説明】
【００１８】
【図１】本発明の実施形態に係る情報システムの構成を示すブロック図である。
【図２】本発明の実施形態に係る車載システムとスマートフォンの構成を示すブロック図である。
【図３】本発明の実施形態に係るプッシュ型配信情報表示制御処理を示すフローチャートである。
【図４】本発明の実施形態に係るプッシュ型配信情報表示制御処理による表示例を示す図である。
【図５】本発明の実施形態に係る通知情報閲覧処理を示すフローチャートである。
【図６】本発明の実施形態に係る通知情報閲覧処理による表示例を示す図である。
【発明を実施するための形態】
【００１９】
以下、本発明の実施形態について説明する。
本実施形態に係る情報システムは、各自動車に搭載された車載システムと、車載システムのユーザによって携帯され車載システムに選択的に接続されるスマートフォンとより構成される。
ここで、図１に示すように、車載システム１は、サービスエリアやパーキングエリアや道の駅などの施設に設置された路側システム３との間でDSRC（Dedicated Short Range Communication：狭域通信）を介した通信を行うシステムである。
そして、路側システム３は、イントラネット４に接続されており、イントラネット４上には、Ｗｅｂサーバ５が配置されている。また、イントラネット４はインターネット６に接続されている。
また、図示するように、路側システム３は、近傍に位置する自動車の車載システム１との間でDSRCによる信号の送受信を行う路側送受信機３００と、路側装置３１０とを含んでいる。
そして、路側装置３１０は、接続制御装置３１１を備えており、接続制御装置３１１は、路側送受信機３００の通信エリア内にDSRCを介した通信が可能な状態の車載システム１が出現したならば、当該車載システム１との間で所定の接続手順を実行し非ＩＰ系の所定のプロトコルの通信接続を確立する。
【００２０】
また、路側装置３１０は、プッシュ型情報配信部３１２とを備えており、接続制御装置３１１の制御によって車載システム１との間の前記所定のプロトコルの通信接続が確立すると、プッシュ型情報配信部３１２は当該所定のプロトコルの通信接続を介して車載システム１との通信を行うことができるようになる。
【００２１】
そして、プッシュ型情報配信部３１２は、接続制御装置３１１の制御によって路側システム３との前記所定のプロトコルの通信接続が確立した車載システム１が発生すると、所定のＵＲＬを、プッシュ配信情報ＵＲＬとして車載システム１に通知する。
ここで、プッシュ配信情報ＵＲＬとする所定のＵＲＬは、ＩＰ接続を介してアクセス可能なＵＲＬであり、路側システム３の通信エリア内に進入した自動車のユーザに閲覧させたいＷｅｂページのＵＲＬである。すなわち、プッシュ配信情報ＵＲＬとしては、たとえば、路側システム３が接続しているイントラネット４に接続されたＷｅｂサーバ５上の、路側システム設置施設の広告情報や利用情報を記述したＷｅｂページのＵＲＬ等を用いることができる。
【００２２】
一方、接続制御装置３１１の制御によって路側システム３との前記所定のプロトコルの通信接続を確立した車載システム１は、さらに路側システム３を中継点として利用したIP通信の接続を確立することができ、確立したIP通信の接続を介して、イントラネット４上のＷｅｂサーバ５や、イントラネット４が接続しているインターネット６にアクセスできるようになる。
【００２３】
一方、スマートフォン２は、移動体通信網７に接続して電話通信を行うことができる他、移動体通信網７を介してインターネット６に接続することができる。また、スマートフォン２は、移動体通信網７、インターネット６、イントラネット４を介してイントラネット４上のＷｅｂサーバ５にアクセスすることもできる。
【００２４】
次に、図２に車載システム１とスマートフォン２の構成を示す。
図示するように車載システム１は、路側システム３とのDSRC通信を担うDSRC通信装置１０１、入力装置１０２、表示装置１０３、マイクやスピーカなどを備えた音声入出力装置１０４、ＧＰＳ受信などのその他の周辺装置１０５、デバイスインタフェース１０６、車載システム１のＯＳであるところのＨ-オペレーティングシステム１０７、Ｈ-オペレーティングシステム１０７によって管理されＨ-オペレーティングシステム１０７上で稼働するアプリケーションとを備えている。
【００２５】
そして、車載システム１は、アプリケーションとしては、プッシュ型情報受信制御アプリケーション１１１と、Ｗｅｂブラウザ１１２と、ナビゲーションアプリケーションなどの、その他のアプリケーションＨ-ＡＰ１１３を備えている、
一方、スマートフォン２は、移動体通信網７にアクセスするための移動通信装置２０１、タッチパネルやプッシュスイッチなどの操作部２０２、ディスプレイ２０３、マイクやスピーカなどを備えた音声入出力部２０４、その他の周辺デバイス２０５、ホストインタフェース２０６、スマートフォン２のＯＳであるところのＳＰ-オペレーティングシステム２０７、ＳＰ-オペレーティングシステム２０７によって管理されＳＰ-オペレーティングシステム２０７上で稼働するアプリケーションを備えている。
【００２６】
そして、スマートフォン２は、アプリケーションとして、閲覧制御アプリケーション２１１と、Ｗｅｂブラウザ２１２と、移動通信装置２０１や音声入出力部２０４や操作部２０２を用いた移動電話機能を提供する移動電話アプリケーション２１３と、メディアプレイヤなどのその他のアプリケーションＳＰ-ＡＰ２１４を備えている。
【００２７】
そして、スマートフォン２のホストインタフェース２０６と車載システム１のデバイスインタフェース１０６は、Bluetooth（登録商標）や、WIFIなどの無線通信インタフェースによって無線接続して相互通信を行うものである。
ただし車載システム１は、ハードウエア的には、ＣＰＵやメモリなどを備えたコンピュータを用いて構成されるものであり、Ｈ-オペレーティングシステム１０７や、アプリケーション１１１-１１３などは、当該コンピュータが、所定のコンピュータプログラムを実行することにより実現されるものである。
【００２８】
また、同様に、スマートフォン２は、ハードウエア的には、ＣＰＵやメモリなどを備えたコンピュータを用いて構成されるものあり、ＳＰ-オペレーティングシステム２０７や、アプリケーション２１１-２１４などは、当該コンピュータが、所定のコンピュータプログラムを実行することにより実現されるものである。
【００２９】
以下、このような構成において、車載システム１のプッシュ型情報受信制御アプリケーション１１１が行うプッシュ型配信情報表示処理について説明する。
図３に、このプッシュ型配信情報表示処理の手順を示す。
図示するように、まず、この処理では、DSRC通信装置１０１と路側システム３のDSRC通信の接続の発生を監視し（ステップ３０２）、接続が発生したならば路側装置３１０から上述したプッシュ配信情報ＵＲＬを受信したかどうかを調べ（ステップ３０４）、受信していなければステップ３０２の処理に戻る。一方、プッシュ配信情報ＵＲＬを受信していれば（ステップ３０４）、表示装置１０３に、閲覧問い合わせ画面を表示する（ステップ３０６）。
【００３０】
ここで、図４ａに示すように、この閲覧問い合わせ画面には、閲覧可能な情報が発生した旨の表示４１１と、情報の閲覧の要否をユーザから受け付ける「閲覧する」ボタン４１２と「閲覧しない」ボタン４１３を含める。なお、図４ａに示した例では、Ｈ-ＡＰ１１３として設けられたナビゲーションアプリケーションが表示している地図上に、閲覧問い合わせ画面を重畳表示している。また、ステップ３０６では、音声出力装置を介して、情報が提供された旨の音声メッセージの音声出力も行うようにしてもよい。
【００３１】
次にこのような閲覧問い合わせ画面を表示したならば、「閲覧しない」ボタン４１３のユーザ操作による閲覧不要指示の発生と（ステップ３０８）と、「閲覧する」ボタン４１２のユーザ操作による閲覧指示の発生と（ステップ３１０）と、DSRC通信装置１０１と路側システム３のDSRC通信の接続断すなわちDSRC通信装置１０１と路側システム３との通信不能状態の発生と（ステップ３１２）を監視する。
【００３２】
そして、閲覧不要指示が発生したならば（ステップ３０８）、ステップ３０２からの処理に戻る。
一方、閲覧指示が発生した場合には（ステップ３１０）、プッシュ配信情報ＵＲＬとして受信したＵＲＬへのアクセスを車載システム１のＷｅｂブラウザ１１２に指示し（ステップ３２４）、ステップ３０２からの処理に戻る。ここで、プッシュ配信情報ＵＲＬのアクセスを指示された車載システム１のＷｅｂブラウザ１１２は、路側システム３との間のIP接続が未確立である場合にはこれを確立し、IP接続上で、プッシュ配信情報ＵＲＬによって示されるＵＲＬにアクセスしてＷｅｂページを取得し、図４ｂに示すように取得したＷｅｂページ４２１を表示装置１０３に表示する。
【００３３】
一方、DSRC通信装置１０１と路側システム３のDSRC通信の接続断が発生した場合には（ステップ３１２）、デバイスインタフェース１０６を介してスマートフォン２と接続しているかどうかを調べ（ステップ３１４）、スマートフォン２と接続していない場合には、そのままステップ３０２の処理に戻る。
【００３４】
一方、スマートフォン２と接続している場合には、スマートフォン閲覧問い合わせ画面を表示する（ステップ３１６）。ここで、図４ｃに示すように、スマートフォン閲覧問い合わせ画面は、情報を後でスマートフォン２で閲覧するかどうかを問い合わせるメッセージ４３１と、スマートフォン２での情報の閲覧の要否をユーザから受け付ける「閲覧する」ボタン４３２と「閲覧しない」ボタン４３３を含める。
【００３５】
そして、「閲覧しない」ボタン４３３の操作による閲覧不要指示が発生したならば（ステップ３１８）、そのままステップ３０２からの処理に戻る。
一方、「閲覧する」ボタン４３２の操作による閲覧指示が発生した場合には（ステップ３２０）、プッシュ配信情報ＵＲＬとして受信したＵＲＬを、デバイスインタフェース１０６を介してスマートフォン２の閲覧制御アプリケーション２１１に通知し（ステップ３２２）、ステップ３０２からの処理に戻る。
【００３６】
以上、車載システム１のプッシュ型情報受信制御アプリケーション１１１が行うプッシュ型配信情報表示処理について説明した。
次に、スマートフォン２の閲覧制御アプリケーション２１１の動作について説明する。
閲覧制御アプリケーション２１１は、上述したプッシュ型配信情報表示処理によってスマートフォン２のプッシュ型情報受信制御アプリケーション１１１からＵＲＬが通知されたならば、通知されたＵＲＬと通知日時とを通知ＵＲＬ情報として記憶する。
また、ユーザの操作部２０２の操作によって、通知ＵＲＬの閲覧を指示されたならば、図５に示す通知ＵＲＬ閲覧処理を行う。なお、この通知ＵＲＬ閲覧処理は、スマートフォン２が車載システム１に接続されていない期間中であっても、スマートフォン２において行うことができる。
【００３７】
図示するように、この通知ＵＲＬ閲覧処理では、まず、通知ＵＲＬ情報として記憶しているＵＲＬの一覧を表す通知ＵＲＬリスト画面をディスプレイ２０３に表示する（ステップ５０２）。ここで、通知ＵＲＬリスト画面には、図６に示すように、各通知ＵＲＬ情報が表す通知日時６１１とＵＲＬ６１２との組を、通知日時の新しいものより順に並べて表示すると共に、各組に対して設けた閲覧ボタン６１３と消去ボタン６１４とを表示する。
【００３８】
そして、消去ボタン６１４の操作による消去指示が発生したならば（ステップ５０４）、消去ボタン６１４が操作された通知日時６１１とＵＲＬ６１２との組に対応する通知ＵＲＬ情報を削除し（ステップ５１２）、ステップ５０２に戻って通知ＵＲＬリスト画面を更新する。
【００３９】
一方、閲覧ボタン６１３の操作による閲覧指示が発生したならば（ステップ５０６）、閲覧ボタン６１３が操作された通知日時６１１とＵＲＬ６１２との組に対応する通知ＵＲＬ情報が表すＵＲＬへのアクセスをスマートフォン２のＷｅｂブラウザ２１２に指示し（ステップ５０８）、当該通知ＵＲＬ情報を削除した上で（ステップ５１０）処理を終了する。
【００４０】
ここで、ＵＲＬへのアクセスを指示されたスマートフォン２のＷｅｂブラウザ２１２は、移動通信装置２０１、移動体通信網７を介してインターネット６に接続し、インターネット６もしくはインターネット６及びイントラネット４アクセスを指示されたＵＲＬにアクセスしてＷｅｂページを取得し、取得したＷｅｂページをディスプレイ２０３に表示する。
【００４１】
以上、通知ＵＲＬ閲覧処理について説明した。
以上、本発明の実施形態について説明した。
ところで、先に示した車載システム１のプッシュ型情報受信制御アプリケーション１１１が行うプッシュ型配信情報表示処理では、DSRC通信装置１０１と路側システム３のDSRC通信の接続断が発生した場合にのみプッシュ配信情報ＵＲＬとして受信したＵＲＬをスマートフォン２に転送するようにしたが、DSRC通信装置１０１と路側システム３のDSRC通信の接続が維持されている場合にも、ユーザ操作に応じてプッシュ配信情報ＵＲＬとして受信したＵＲＬをスマートフォン２に転送するようにしてもよい。
【００４２】
すなわち、この場合には、たとえば、プッシュ型配信情報表示処理のステップ３１６で表示するスマートフォン閲覧問い合わせ画面に、図４ｄに示すように、「閲覧する」ボタン４１２と「閲覧しない」ボタン４１３に加えて、「スマートフォン２で閲覧する」ボタン４４１を設け、「スマートフォン２で閲覧する」ボタン４４１が操作された場合には、ステップ３２２に進んで、プッシュ配信情報ＵＲＬとして受信したＵＲＬを、デバイスインタフェース１０６を介してスマートフォン２の閲覧制御アプリケーション２１１に通知し、ステップ３０２からの処理に戻るようにすればよい。
【００４３】
このようにすることにより、たとえば、車載システム１のユーザは、サービスエリアに駐車したときに、路側システム３から通知されたＵＲＬをスマートフォン２に転送した上で、スマートフォン２を車外に持ち出すことにより、当該ＵＲＬのＷｅｂページを、車外のサービスエリア付属のカフェテリアなどで落ち着いて閲覧することができるようになる。
【００４４】
また、以上の実施形態は、車載システム１に接続される装置を、スマートフォン２に代えて、移動電話機（携帯電話）やPDAなどの、移動体通信網７を介したインターネット接続機能を備えた任意のモバイル装置とした場合にも同様に適用することができる。
以上のように、本実施形態によれば、路側システム３からＵＲＬの通知を受けた後に、当該ＵＲＬのＷｅｂページの取得を行う前に、前記路側システム３との間のDSRCによる通信が不能となった場合に、当該ＵＲＬを、車載システム１に接続しているスマートフォン２に転送することができる。そして、ユーザは、スマートフォン２を用いて転送されたＵＲＬにアクセスすることにより、先に路側システム３から車載システム通知されたＵＲＬのＷｅｂページを閲覧することができる。
【００４５】
結果、車載システム１のユーザは、当該車載システム１がＵＲＬの通知を受けた後に路側システム３と通信不能となった場合であっても、当該ＵＲＬのＷｅｂページを閲覧できることとなる。
【符号の説明】
【００４６】
１…車載システム、２…スマートフォン、３…路側システム、４…イントラネット、５…Ｗｅｂサーバ、６…インターネット、７…移動体通信網、１０１…DSRC通信装置、１０２…入力装置、１０３…表示装置、１０４…音声入出力装置、１０５…周辺装置、１０６…デバイスインタフェース、１０７…Ｈ-オペレーティングシステム、１１１…プッシュ型情報受信制御アプリケーション、１１２…Ｗｅｂブラウザ、２０１…移動通信装置、２０２…操作部、２０３…ディスプレイ、２０４…音声入出力部、２０５…周辺デバイス、２０６…ホストインタフェース、２０７…ＳＰ-オペレーティングシステム、２１１…閲覧制御アプリケーション、２１２…Ｗｅｂブラウザ、２１３…移動電話アプリケーション、３００…路側送受信機、３１０…路側装置、３１１…接続制御装置、３１２…プッシュ型情報配信部。
【図１】
2014085843.tif 000003
【図２】
2014085843.tif 000004
【図３】
2014085843.tif 000005
【図４】
2014085843.tif 000006
【図５】
2014085843.tif 000007
【図６】
2014085843.tif 000008